(57)【要約】【課題】ワイヤレスリモコンの電池切れが発生した場合でもバックアップ運転を行うことができる空気調和装置、空気調和装置の制御方法、及び空気調和装置の制御プログラムを提供することを目的とする。【解決手段】室内機３０と、室内機３０に設置され該室内機３０と接続された無線通信アダプタ２０と、無線通信アダプタ２０と送受信を行うワイヤレスリモコン１０と、を備えた空気調和装置であって、ワイヤレスリモコン１０は、該ワイヤレスリモコン１０のバッテリー残量を検出するリモコン制御部１１を備え、無線通信アダプタ２０は、予め設定された運転設定情報に基づき室内機３０の運転を行うバックアップ運転モードを有する制御部２１を備え、制御部２１は、リモコン制御部１１からバッテリー残量が所定の閾値以下となったことを検出した情報を受信すると、バックアップ運転モードによる制御を行う。【選択図】図２
2018189278.tif 000002
【特許請求の範囲】
【請求項１】
室内機と、
前記室内機に設置され該室内機と接続された無線通信アダプタと、
前記無線通信アダプタと送受信を行うワイヤレスリモコンと、を備えた空気調和装置であって、
前記ワイヤレスリモコンは、該ワイヤレスリモコンのバッテリー残量を検出するリモコン制御部を備え、
前記無線通信アダプタは、予め設定された運転設定情報に基づき前記室内機の運転を行うバックアップ運転モードを有する制御部を備え、
前記制御部は、前記リモコン制御部から前記バッテリー残量が所定の閾値以下となったことを検出した情報を受信すると、前記バックアップ運転モードによる制御を行う空気調和装置。
【請求項２】
前記ワイヤレスリモコンは、前記室内機の前記運転設定情報を通知するリモコン通知部を備え、
前記制御部は、前記リモコン制御部が前記バッテリー残量が前記所定の閾値を上回ったことを検出した情報を受信すると、前記室内機の前記運転設定情報を前記リモコン制御部へ送信し、
前記リモコン制御部は、前記運転設定情報に基づき通知を行うよう前記リモコン通知部を制御する請求項１に記載の空気調和装置。
【請求項３】
前記バックアップ運転モードは、所定の時間にて運転または／及び停止するように制御を行う時間タイマーモードと、所定の時刻に運転または／及び停止するように制御を行う時刻タイマーモードとを備える請求項１または２に記載の空気調和装置。
【請求項４】
前記制御部は、前記リモコン制御部が前記バッテリー残量が所定の閾値を上回ったことを検出する前に前記リモコン制御部によりタイマー設定情報が設定されている場合に前記バックアップ運転モードによる制御を行うか否かを選択可能とする請求項１から請求項３のいずれか１項に記載の空気調和装置。
【請求項５】
室内機と、前記室内機に設置され該室内機と接続された無線通信アダプタと、前記無線通信アダプタと送受信を行うワイヤレスリモコンと、を備えた空気調和装置の制御方法であって、
前記ワイヤレスリモコンのバッテリー残量を検出する検出工程と、
前記検出工程から前記バッテリー残量が所定の閾値以下となったことを検出した情報を受信すると、予め設定された運転設定情報に基づき前記室内機の運転を行うバックアップ運転モードによる制御を行うバックアップ運転工程とを備える空気調和装置の制御方法。
【請求項６】
室内機と、前記室内機に設置され該室内機と接続された無線通信アダプタと、前記無線通信アダプタと送受信を行うワイヤレスリモコンと、を備えた空気調和装置の制御プログラムであって、
前記ワイヤレスリモコンのバッテリー残量を検出する検出ステップと、
前記検出ステップから前記バッテリー残量が所定の閾値以下となったことを検出した情報を受信すると、予め設定された運転設定情報に基づき前記室内機の運転を行うバックアップ運転モードによる制御を行うバックアップ運転ステップとを備える空気調和装置の制御プログラム。
【発明の詳細な説明】
【技術分野】
【０００１】
本発明は、空気調和装置、空気調和装置の制御方法、及び空気調和装置の制御プログラムに関するものである。
【背景技術】
【０００２】
空気調和装置には、運転／停止や設定等を操作するためにワイヤレスリモコンが付属されている場合がある。ワイヤレスリモコンは一般的に電池により駆動する。そのため、電池切れが発生すると、電池を交換するまでワイヤレスリモコンは使用不可となる。空気調和装置は、ワイヤレスリモコンにて運転モード、設定温度、風量、風向等の運転設定を行っているため、ワイヤレスリモコンが使用不可となった場合のために、室内機本体にバックアップスイッチが備えられている。しかし、バックアップスイッチは一般的に運転／停止のみであることが多い。また室内機は壁面上部や天井などユーザの手の届く範囲外に設置され、ユーザが安易にバックアップスイッチを押下できない場合がある。
【０００３】
このように、ワイヤレスリモコンの電池切れが発生すると、ユーザによる空気調和装置の使用に不都合が生じるため、これを回避するための方法が検討されている。例えば、特許文献１には、リモコン装置が使用できない場合に、応急スイッチの押下及びプラグの差し込みにより切りタイマーモード及び入りタイマーモードで動作させることが開示されている。
【先行技術文献】
【特許文献】
【０００４】
【特許文献１】特開２００１−４１５４７号公報
【発明の概要】
【発明が解決しようとする課題】
【０００５】
しかしながら、上記特許文献１に開示された発明では、リモコンの電池切れが発生した後に室内機本体での操作が必要であるため、室内機に新たなボタン等の構成の追加が必要であるという問題があった。また、室内機がユーザの手の届く範囲外に設置されている場合は、ユーザに負担をかけることになるという問題があった。
【０００６】
本発明は、このような事情に鑑みてなされたものであって、ワイヤレスリモコンの電池切れが発生した場合でもユーザの負担を減らすことができる空気調和装置、空気調和装置の制御方法、及び空気調和装置の制御プログラムを提供することを目的とする。
【課題を解決するための手段】
【０００７】
上記課題を解決するために、本発明の空気調和装置、空気調和装置の制御方法、及び空気調和装置の制御プログラムは以下の手段を採用する。
本発明の第一態様に係る空気調和装置は、室内機と、前記室内機に設置され該室内機と接続された無線通信アダプタと、前記無線通信アダプタと送受信を行うワイヤレスリモコンと、を備えた空気調和装置であって、前記ワイヤレスリモコンは、該ワイヤレスリモコンのバッテリー残量を検出するリモコン制御部を備え、前記無線通信アダプタは、予め設定された運転設定情報に基づき前記室内機の運転を行うバックアップ運転モードを有する制御部を備え、前記制御部は、前記リモコン制御部から前記バッテリー残量が所定の閾値以下となったことを検出した情報を受信すると、前記バックアップ運転モードによる制御を行う。
【０００８】
本態様によれば、ワイヤレスリモコンのバッテリー残量を閾値としてバックアップ運転モードに入るか否かの判定を行い、バックアップ運転モードに入ったら、予め設定した運転設定情報に従い運転を行う。ここで、バックアップ運転モードとは、ワイヤレスリモコンがバッテリー切れ等によって使用不可となった場合に、予め設定しておいたタイマーなどの運転設定情報に基づきワイヤレスリモコンの操作なしに室内機のバックアップ運転を行うモードである。
これにより、ワイヤレスリモコンのバッテリー残量が少なくなると、バッテリーが切れて室内機の操作が行えなくなる前に、予め設定した運転設定情報（タイマー、運転モード、温度、風量、風向等）に基づき運転を継続することができる。ワイヤレスリモコンが使用不可となると、室内機側で操作を行うこととなるが、一般的に室内機側で操作可能であるのは運転／停止のみであり詳細な設定を行うことができない。また、室内機は通常壁面上部や天井などユーザの手の届く範囲外に設置されることが多く、操作しづらい面がある。本態様によれば、予めユーザにより所望の運転設定情報を設定しておくことができ、ユーザの負担を減らすことができる。
【０００９】
上記第一態様では、前記ワイヤレスリモコンは、前記室内機の前記運転設定情報を通知するリモコン通知部を備え、前記制御部は、前記リモコン制御部が前記バッテリー残量が前記所定の閾値を上回ったことを検出した情報を受信すると、前記室内機の前記運転設定情報を前記リモコン制御部へ送信し、前記リモコン制御部は、前記運転設定情報に基づき通知を行うよう前記リモコン通知部を制御するとしてもよい。
【００１０】
電池を入れ替える、充電を行う等の操作により、ワイヤレスリモコンのバッテリーが回復すると、ワイヤレスリモコンのリモコン制御部は、現在の室内機の運転設定情報を取得し、リモコン通知部に表示する。
ワイヤレスリモコンは、バッテリー切れの場合、直前の運転設定情報のみを取得しており、バッテリー切れ中に室内機の運転設定情報が変更された場合はその情報が反映されない。本態様によれば、バッテリーが回復した場合に、その時点での室内機の運転設定情報をワイヤレスリモコンに送信するため、室内機の運転状態と、ワイヤレスリモコンの表示とに乖離が無く、ユーザに正しい情報を通知することができる。
【００１１】
上記第一態様では、前記バックアップ運転モードは、所定の時間にて運転または／及び停止するように制御を行う時間タイマーモードと、所定の時刻に運転または／及び停止するように制御を行う時刻タイマーモードとを備えるとしてもよい。
【００１２】
本態様によれば、バックアップ運転モードは、所定の時間にて運転または／及び停止するように制御を行う時間タイマーモードと、所定の時刻に運転または／及び停止するように制御を行う時刻タイマーモードとを備えることから、ユーザの使用状況に応じてバックアップ運転モードの運転内容を選択することができる。
【００１３】
上記第一態様では、前記制御部は、前記リモコン制御部が前記バッテリー残量が所定の閾値を上回ったことを検出する前に前記リモコン制御部によりタイマー設定情報が設定されている場合に前記バックアップ運転モードによる制御を行うか否かを選択可能とするとしてもよい。
【００１４】
バッテリー切れによりバックアップ運転モードに入る前に、既にワイヤレスリモコンによりタイマー設定がなされている場合を考慮し、バックアップ運転モードによる制御を行うか否かを選択できるとした。
本態様によれば、ワイヤレスリモコンによるタイマー設定と、バックアップ運転モードによる設定のいずれを優先するかをユーザが選択することができ、バックアップ運転モードの汎用性を高めることができる。
【００１５】
本発明の第二態様に係る空気調和装置の制御方法は、室内機と、前記室内機に設置され該室内機と接続された無線通信アダプタと、前記無線通信アダプタと送受信を行うワイヤレスリモコンと、を備えた空気調和装置の制御方法であって、前記ワイヤレスリモコンのバッテリー残量を検出する検出工程と、前記検出工程から前記バッテリー残量が所定の閾値以下となったことを検出した情報を受信すると、予め設定された運転設定情報に基づき前記室内機の運転を行うバックアップ運転モードによる制御を行うバックアップ運転工程とを備える。
【００１６】
本発明の第三態様に係る空気調和装置の制御プログラムは、室内機と、前記室内機に設置され該室内機と接続された無線通信アダプタと、前記無線通信アダプタと送受信を行うワイヤレスリモコンと、を備えた空気調和装置の制御プログラムであって、前記ワイヤレスリモコンのバッテリー残量を検出する検出ステップと、前記検出ステップから前記バッテリー残量が所定の閾値以下となったことを検出した情報を受信すると、予め設定された運転設定情報に基づき前記室内機の運転を行うバックアップ運転モードによる制御を行うバックアップ運転ステップとを備える。
【発明の効果】
【００１７】
本発明によれば、ワイヤレスリモコンのバッテリー残量を閾値としてバックアップ運転モードに入るので、ワイヤレスリモコンが使用不可となった場合でもユーザの負担を減らすことができる。
【図面の簡単な説明】
【００１８】
【図１】本発明の一実施形態に係る空気調和装置を示した概略構成図である。
【図２】本発明の一実施形態に係るワイヤレスリモコン及び無線通信アダプタを示した概略構成図である。
【図３】本発明の一実施形態に係るバックアップ運転モードの前処理を示したフローチャートである。
【図４】本発明の一実施形態に係るバックアップ運転モードの時間タイマー（入）の場合を示したフローチャートである。
【図５】本発明の一実施形態に係るバックアップ運転モードの時間タイマー（切）の場合を示したフローチャートである。
【図６】本発明の一実施形態に係るバックアップ運転モードの時刻タイマー（入）の場合を示したフローチャートである。
【図７】本発明の一実施形態に係るバックアップ運転モードの時刻タイマー（切）の場合を示したフローチャートである。
【００１９】
以下に、本発明に係る空気調和装置、空気調和装置の制御方法、及び空気調和装置の制御プログラムの一実施形態について、図面を参照して説明する。
【００２０】
以下、本発明の一実施形態について、図１乃至７を用いて説明する。
図１には、本実施形態に係る空気調和装置の概略構成が示されている。
図１に示されるように、空気調和装置１は、ワイヤレスリモコン１０と、無線通信アダプタ２０と、室内機３０と、室外機４０と、を主な構成として備えている。
【００２１】
ワイヤレスリモコン１０の操作により、室内機３０の運転操作を行うことができる。ユーザはワイヤレスリモコン１０にて室内機３０の運転ＯＮ／ＯＦＦ、入／切タイマー、冷房・暖房・送風等の運転モード、設定温度、風量、風向、スイング等の運転情報を適宜入力（例えば対応するボタンの押下等）し、それに応じて室内機３０が運転される。本実施形態では、１の室内機３０に対し１のワイヤレスリモコン１０が備えられているが、ワイヤレスリモコン１０は１以上の室内機の操作を行うとしてもよく、また１の空気調和装置１に対して１以上備えられていてもよい。
【００２２】
無線通信アダプタ２０は、室内機３０に１対１で設置され、室内機３０と有線接続されている。無線通信アダプタ２０は、ワイヤレスリモコン１０と双方向に無線通信を行い、ワイヤレスリモコン１０から受信した運転設定情報を室内機３０に伝達する。本実施形態では、１の空気調和装置において１の無線通信アダプタ２０が備えられているが、室内機３０が複数台ある場合はこれに応じて無線通信アダプタ２０も複数備えられ、この場合、無線通信アダプタ２０同士で双方向に無線通信を行うことも可能である。
【００２３】
室内機３０と室外機４０とは、図示しない冷媒回路を介して接続されており、この冷媒回路を介して室内機３０と室外機４０との間で熱のやり取りが行われるようになっている。
本実施形態では室外機４０に対して室内機３０が１対１で接続されている場合について例示されているが、室内機３０と室外機４０とは１対１またはそれ以上のいずれの接続でもよく、空気調和装置１として実現可能な構成であればその形態は問わない。
【００２４】
図２には、本実施形態に係るワイヤレスリモコン及び無線通信アダプタの概略構成が示されている。
図２に示されるように、ワイヤレスリモコン１０は、通信制御マイコン（リモコン制御部）１１と、リモコン通知部１２と、無線モジュール１４と、バッテリー１５と、通信回路１６と、アンテナ１７と、入力部１９と、を備えている。
また無線通信アダプタ２０は、通信制御マイコン（制御部）２１と、無線モジュール２４と、電源回路２５と、通信回路２６と、アンテナ２７と、を備えている。
【００２５】
ユーザによる入力部１９の操作により各運転情報がワイヤレスリモコン１０に入力されると、通信制御マイコン１１に伝達され、無線モジュール１４及びアンテナ１７を介して無線通信アダプタ２０に運転設定情報を送信する。
ここで、運転設定情報とは、運転ＯＮ／ＯＦＦ、入／切タイマー、冷房・暖房・送風等の運転モード、設定温度、風量、風向、スイング等の室内機３０の運転情報の設定情報である。
通信制御マイコン１１は、バッテリー１５のバッテリー残量を検出する。バッテリー残量には所定の閾値が設定されており、通信制御マイコン１１は、バッテリー残量が所定の閾値以下となったことを検出すると無線通信アダプタ２０へ情報を送信する。
リモコン通知部１２は、例えばディスプレイ、ＬＥＤランプ、ブザー等であり、通信制御マイコン１１により出力が制御される。
【００２６】
無線通信アダプタ２０は、ワイヤレスリモコン１０から送信された運転設定情報を、アンテナ２７及び無線モジュール２４を介して受信する。受信された運転設定情報は、通信制御マイコン２１に伝達され、通信回路２６を介して室内機３０の制御装置（図示せず）に伝達され室内機３０の運転制御が行われる。
通信制御マイコン２１は、バックアップ運転モードを有する。ここで、バックアップ運転モードとは、ワイヤレスリモコン１０がバッテリー切れ等によって使用不可となった場合に、予め設定しておいたタイマーなどの運転設定情報に基づきワイヤレスリモコン１０の操作なしに室内機３０のバックアップ運転を行うモードである。通信制御マイコン２１は、通信制御マイコン１１からバッテリー残量が所定の閾値以下となったことを検出した情報を受信すると、バックアップ運転モードによる制御を行う。
【００２７】
また、バックアップ運転モードにおける運転設定情報は、ユーザがワイヤレスリモコン１０を用いて予め設定を行っておく。設定されたバックアップ運転モードにおける運転設定情報は、無線通信アダプタ２０の通信制御マイコン２１に記憶される。
【００２８】
ユーザは、バックアップ運転モードにおける運転設定情報について以下の情報を設定する。
（１）バックアップ運転モードの有効／無効
（２）時間タイマー／時刻タイマーの選択
（３）時間タイマーを選択した場合、時間タイマー（入）／時間タイマー（切）の選択、及び時間タイマーの設定時間
（４）時刻タイマーを選択した場合、時刻タイマー（入）／時刻タイマー（切）の選択、及び時刻タイマーの設定時刻
（５）運転モード、温度、風量、風向、スイング等の運転設定情報
【００２９】
上記（１）は、バックアップ運転モードを有効とするか否かを設定する。バックアップ運転モードを無効とする場合は、以下の（２）乃至（５）の設定は行わない。
上記（２）は、バックアップ運転モードにおいて、タイマー設定を時間で行うか、時刻で行うかの選択を行い設定する。
上記（３）は、時間タイマーを選択した場合に、設定時間後に運転を開始する「時間タイマー（入）」または設定時間後に運転を停止する「時間タイマー（切）」のいずれかを選択し設定する。
上記（４）は、時刻タイマーを選択した場合に、設定時刻に運転を開始する「時刻タイマー（入）」または設定時刻に運転を停止する「時刻タイマー（切）」のいずれかを選択し設定する。
上記（５）は、タイマー以外の運転設定情報を設定する。
【００３０】
通信制御マイコン２１及び通信制御マイコン１１は、例えば、ＣＰＵ（Central  Processing  Unit）、ＲＡＭ（Random  Access  Memory）、ＲＯＭ（Read  Only  Memory）、及び記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。
【００３１】
次に、図３乃至７を用いて、本実施形態に係るバックアップ運転モードの制御について説明する。
図３乃至７にて、本実施形態に係るバックアップ運転モードがフローチャートに示されている。
図３には、本実施形態に係るバックアップ運転モードの前処理がフローチャートに示されている。
図４には、本実施形態に係るバックアップ運転モードの時間タイマー（入）が選択された場合のフローチャートが示されている。
図５には、本実施形態に係るバックアップ運転モードの時間タイマー（切）が選択された場合のフローチャートが示されている。
図６には、本実施形態に係るバックアップ運転モードの時刻タイマー（入）が選択された場合のフローチャートが示されている。
図７には、本実施形態に係るバックアップ運転モードの時刻タイマー（切）が選択された場合のフローチャートが示されている。
【００３２】
図３に示されるように、まずステップＳ３０１において、ワイヤレスリモコン１０のバッテリー１５のバッテリー残量が所定の閾値以下であるか否かが判定され、バッテリー残量が所定の閾値以下の場合はステップＳ３０２へ遷移し、バッテリー残量が所定の閾値を上回る場合はステップＳ３０１へ戻る。
これは、バッテリー１５のバッテリー残量が少なくなり、室内機３０の操作を行えなくなる前にバックアップ運転モードに入るための判定である。
所定の閾値には、バッテリー残量のパーセンテージ（例えば２０％）、時間に基づく値（例えば２４時間使用するのに必要なバッテリー量等）及び既に設定されている入／切タイマーの時間から逆算した値（次に作動するタイマーの時間までに必要なバッテリー量等）等の値を設定することができる。また、所定の閾値を複数設け、段階的な判定を行うことも可能である。この場合、無線通信アダプタ２０側がバックアップ運転モードに入ったことをワイヤレスリモコン１０側で検知できた時点で、閾値を用いた判定を終了することで、処理を簡便にできる。
【００３３】
ステップＳ３０１においてバッテリー残量が所定の閾値以下であると判定されると、次にバックアップ運転モードが有効か否かが判定される（Ｓ３０２）。
ステップＳ３０２において、バックアップ運転モードが有効であると判定された場合は、ステップＳ３０３へ遷移し、バックアップ運転モードが無効であると判定された場合はステップＳ３０１へ戻る。
【００３４】
ステップＳ３０２においてバックアップ運転モードが有効であると判定されると、バックアップ運転モードが開始され、次にバックアップ運転モードが時間タイマー及び時刻タイマーのいずれのモードに設定されているかが判定される（Ｓ３０３）。
ステップＳ３０３において時間タイマーが設定されていると判定された場合はステップＳ３０４へ遷移し、時刻タイマーが設定されていると判定された場合は図６のＢへ遷移する。
【００３５】
ステップＳ３０３において時間タイマーが設定されていると判定されると、次に時間タイマー（入）及び時間タイマー（切）のいずれのモードに設定されているかが判定される（Ｓ３０４）。
ステップＳ３０４において時間タイマー（入）が設定されていると判定された場合は図４のＤへ遷移し、時間タイマー（切）が設定されていると判定された場合は図５のＣへ遷移する。
【００３６】
＜時間タイマー（入）＞
図３のステップＳ３０４において時間タイマー（入）が設定されていると判定されると、次に室内機３０が運転中か否かが判定される（図４のＳ４０１）。
ステップＳ４０１において運転中であると判定された場合はステップＳ４０２へ遷移し、停止中であると判定された場合はステップＳ４０３へ遷移する。
ステップＳ４０１において運転中であると判定された場合は、室内機３０は停止され（Ｓ４０２）、ステップＳ４０３へ遷移する。
【００３７】
次に、バックアップ運転モード開始時点から、バックアップ運転モードの設定時に設定された時間タイマー（入）の設定時間である所定時間を経過したか否かが判定される（Ｓ４０３）。
ステップＳ４０３において所定時間を経過したと判定された場合はステップＳ４０８へ遷移し、所定時間を経過していないと判定された場合はステップＳ４０４へ遷移する。
【００３８】
ステップＳ４０３において所定時間を経過したと判定された場合は、時間タイマー（入）の作動により室内機３０が運転開始され（Ｓ４０８）、ワイヤレスリモコン１０のバッテリー１５が回復すると（Ｓ４０９）、ワイヤレスリモコン１０の通信制御マイコン１１は無線通信アダプタ２０の通信制御マイコン２１から室内機の運転設定情報を受信し、リモコン通知部１２が通知を行うよう制御する（Ｓ４１０）。
次に、図３のＡ、すなわちステップＳ３０１へ遷移する。
【００３９】
一方、ステップＳ４０３において所定時間を経過していないと判定された場合は、ワイヤレスリモコン１０のバッテリー１５が回復すると（Ｓ４０４）、ワイヤレスリモコン１０の通信制御マイコン１１は無線通信アダプタ２０の通信制御マイコン２１から室内機３０の運転設定情報を受信してリモコン通知部１２が通知を行うよう制御し（Ｓ４０５）、バックアップ運転モードを継続するか否かが判定される（Ｓ４０６）。
ステップＳ４０６においてバックアップ運転モードを継続すると判定された場合は、ステップＳ４０３へ戻り、バックアップ運転モードを継続しないと判定された場合は、図５のＥ、すなわちステップＳ５１０へ遷移する。
ステップＳ４０６におけるバックアップ運転モードの継続要否については、ワイヤレスリモコン１０に表示を行い、ユーザが選択を行う。
【００４０】
＜時間タイマー（切）＞
図３のステップＳ３０４において時間タイマー（切）が設定されていると判定されると、図５のＣ、すなわちステップＳ５０１へ遷移する。
ステップＳ５０１において、室内機３０が運転中か否かが判定され、運転中であると判定された場合はステップＳ５０３へ遷移し、停止中であると判定された場合はステップＳ５０２へ遷移する。
ステップＳ５０１において停止中であると判定された場合は、室内機３０は運転開始され（Ｓ５０２）、ステップＳ５０３へ遷移する。
【００４１】
次に、バックアップ運転モード開始時点から、バックアップ運転モードの設定時に設定された時間タイマー（切）の設定時間である所定時間を経過したか否かが判定される（Ｓ５０３）。
ステップＳ５０３において所定時間を経過したと判定された場合はステップＳ５０４へ遷移し、所定時間を経過していないと判定された場合はステップＳ５０６へ遷移する。
【００４２】
ステップＳ５０３において所定時間を経過したと判定された場合は、ワイヤレスリモコン１０のバッテリー１５が回復すると（Ｓ５０４）、ワイヤレスリモコン１０の通信制御マイコン１１は無線通信アダプタ２０の通信制御マイコン２１から室内機３０の運転設定情報を受信してリモコン通知部１２が通知を行うよう制御し（Ｓ５０５）、室内機３０が停止される（Ｓ５１０）。
次に、図３のＡ、すなわちステップＳ３０１へ遷移する。
【００４３】
一方、ステップＳ５０３において所定時間を経過していないと判定された場合は、ワイヤレスリモコン１０のバッテリー１５が回復すると（Ｓ５０６）、ワイヤレスリモコン１０の通信制御マイコン１１は無線通信アダプタ２０の通信制御マイコン２１から室内機３０の運転設定情報を受信してリモコン通知部１２が通知を行うよう制御し（Ｓ５０７）、バックアップ運転モードを継続するか否かが判定される（Ｓ５０８）。
ステップＳ５０８においてバックアップ運転モードを継続すると判定された場合は、図５のＦ、すなわちステップＳ５０９へ遷移し、バックアップ運転モードを継続しないと判定された場合は、ステップＳ５１０へ遷移する。
ステップＳ５０８においてバックアップ運転モードを継続すると判定されると、次にバックアップ運転モード開始時点から、バックアップ運転モードの設定時に設定された時間タイマー（切）の設定時間である所定時間を経過したか否かが判定される（Ｓ５０９）。
ステップＳ５０９において所定時間を経過したと判定された場合はステップＳ５１０へ遷移し、所定時間を経過していないと判定された場合はステップＳ５０９へ戻る。
ステップＳ５０８におけるバックアップ運転モードの継続要否については、ワイヤレスリモコン１０に表示を行い、ユーザが選択を行う。
【００４４】
＜時刻タイマー（入）＞
ステップＳ３０３において時刻タイマーが設定されていると判定されると、図６のＢ、すなわちステップＳ６０１へ遷移する。
ステップＳ３０３において時刻タイマーが設定されていると判定されると、時刻タイマー（入）及び時刻タイマー（切）のいずれのモードに設定されているかが判定される（Ｓ６０１）。
ステップＳ６０１において時刻タイマー（入）が設定されていると判定された場合はステップＳ６０２へ遷移し、時刻タイマー（切）が設定されていると判定された場合は図７のＧへ遷移する。
【００４５】
ステップＳ６０１において時刻タイマー（入）が設定されていると判定されると、次に室内機３０が運転中か否かが判定される（Ｓ６０２）。
ステップＳ６０２において運転中であると判定された場合はステップＳ６０３へ遷移し、停止中であると判定された場合はステップＳ６０４へ遷移する。
ステップＳ６０２において運転中であると判定された場合は、室内機３０は停止され（Ｓ６０３）、ステップＳ６０４へ遷移する。
【００４６】
次に、バックアップ運転モードの設定時に設定された時刻タイマー（入）の設定時刻になったか否かが判定される（Ｓ６０４）。
ステップＳ６０４において設定時刻になったと判定された場合はステップＳ６０８へ遷移し、設定時刻になっていないと判定された場合はステップＳ６０５へ遷移する。
【００４７】
ステップＳ６０４において設定時刻になったと判定された場合は、時刻タイマー（入）の作動により室内機３０が運転開始され（Ｓ６０８）、ワイヤレスリモコン１０のバッテリー１５が回復すると（Ｓ６０９）、ワイヤレスリモコン１０の通信制御マイコン１１は無線通信アダプタ２０の通信制御マイコン２１から室内機の運転設定情報を受信し、リモコン通知部１２が通知を行うよう制御する（Ｓ６１０）。
次に、図３のＡ、すなわちステップＳ３０１へ遷移する。
【００４８】
一方、ステップＳ６０４において設定時刻になっていないと判定された場合は、ワイヤレスリモコン１０のバッテリー１５が回復すると（Ｓ６０５）、ワイヤレスリモコン１０の通信制御マイコン１１は無線通信アダプタ２０の通信制御マイコン２１から室内機３０の運転設定情報を受信してリモコン通知部１２が通知を行うよう制御し（Ｓ６０６）、バックアップ運転モードを継続するか否かが判定される（Ｓ６０７）。
ステップＳ６０７においてバックアップ運転モードを継続すると判定された場合は、ステップＳ６０４へ戻り、バックアップ運転モードを継続しないと判定された場合は、図５のＥ、すなわちステップＳ５１０へ遷移する。
ステップＳ６０７におけるバックアップ運転モードの継続要否については、ワイヤレスリモコン１０に表示を行い、ユーザが選択を行う。
【００４９】
＜時刻タイマー（切）＞
ステップＳ６０１において時刻タイマー（切）が設定されていると判定されると、図７のＧ、すなわちステップＳ７０１へ遷移する。
ステップＳ７０１において、室内機３０が運転中か否かが判定され、運転中であると判定された場合はステップＳ７０３へ遷移し、停止中であると判定された場合はステップＳ７０２へ遷移する。
ステップＳ７０１において停止中であると判定された場合は、室内機３０は運転開始され（Ｓ７０２）、ステップＳ７０３へ遷移する。
【００５０】
次に、バックアップ運転モードの設定時に設定された時刻タイマー（切）の設定時刻になったか否かが判定される（Ｓ７０３）。
ステップＳ７０３において設定時刻になったと判定された場合はステップＳ７０４へ遷移し、設定時刻になっていないと判定された場合はステップＳ７０６へ遷移する。
【００５１】
ステップＳ７０３において設定時刻になったと判定された場合は、ワイヤレスリモコン１０のバッテリー１５が回復すると（Ｓ７０４）、ワイヤレスリモコン１０の通信制御マイコン１１は無線通信アダプタ２０の通信制御マイコン２１から室内機３０の運転設定情報を受信してリモコン通知部１２が通知を行うよう制御し（Ｓ７０５）、図５のＥ、すなわちステップＳ５１０へ遷移する。
【００５２】
一方、ステップＳ７０３において設定時刻になっていないと判定された場合は、ワイヤレスリモコン１０のバッテリー１５が回復すると（Ｓ７０６）、ワイヤレスリモコン１０の通信制御マイコン１１は無線通信アダプタ２０の通信制御マイコン２１から室内機３０の運転設定情報を受信してリモコン通知部１２が通知を行うよう制御し（Ｓ７０７）、バックアップ運転モードを継続するか否かが判定される（Ｓ７０８）。
ステップＳ７０８においてバックアップ運転モードを継続すると判定された場合は、図７のＨ、すなわちステップＳ７０９へ遷移し、バックアップ運転モードを継続しないと判定された場合は、図５のＥ、すなわちステップＳ５１０へ遷移する。
ステップＳ７０８においてバックアップ運転モードを継続すると判定されると、次にバックアップ運転モードの設定時に設定された時刻タイマー（切）の設定時刻になったか否かが判定される（Ｓ７０９）。
ステップＳ７０９において設定時刻になったと判定された場合は図５のＥ、すなわちステップＳ５１０へ遷移し、設定時刻になっていないと判定された場合はステップＳ７０９へ戻る。
ステップＳ７０８におけるバックアップ運転モードの継続要否については、ワイヤレスリモコン１０に表示を行い、ユーザが選択を行う。
【００５３】
ここで、ワイヤレスリモコン１０により、バックアップ運転モードとは別に入／切タイマーが事前に設定されている場合がある。事前に入／切タイマーが設定されており、バックアップ運転モードによるタイマー設定とは異なる場合は、いずれのタイマー設定を優先するか、ユーザがワイヤレスリモコン１０を用いて設定可能とする。
【００５４】
以上、説明してきたように、本実施形態に係る空気調和装置、空気調和装置の制御方法、及び空気調和装置の制御プログラムによれば、以下の作用効果を奏する。
本実施形態によれば、ワイヤレスリモコン１０のバッテリー残量を閾値としてバックアップ運転モードに入るか否かの判定を行い、バックアップ運転モードに入ったら、予め設定した運転設定情報に従い運転を行う。ここで、バックアップ運転モードとは、ワイヤレスリモコン１０がバッテリー１５のバッテリー切れ等によって使用不可となった場合に、予め設定しておいたタイマーなどの運転設定情報に基づきワイヤレスリモコン１０の操作なしに室内機３０のバックアップ運転を行うモードである。
これにより、ワイヤレスリモコン１０のバッテリー残量が少なくなると、バッテリー１５が切れて室内機３０の操作が行えなくなる前に、予め設定した運転設定情報（タイマー、運転モード、温度、風量、風向等）に基づき運転を継続することができる。ワイヤレスリモコン１０が使用不可となると、室内機３０側で操作を行うこととなるが、一般的に室内機３０側で操作可能であるのは運転／停止のみであり詳細な設定を行うことができない。また、室内機３０は通常壁面上部や天井などユーザの手の届く範囲外に設置されることが多く、操作しづらい面がある。本実施形態によれば、予めユーザにより所望の運転設定情報を設定しておくことができ、ユーザの負担を減らすことができる。
【００５５】
また本実施形態によれば、電池を入れ替える、充電を行う等の操作により、ワイヤレスリモコン１０のバッテリー１５が回復すると、ワイヤレスリモコン１０の通信制御マイコン１１は、現在の室内機３０の運転設定情報を取得し、リモコン通知部１２に表示する。
ワイヤレスリモコン１０は、バッテリー切れの場合、直前の運転設定情報のみを取得しており、バッテリー切れ中に室内機３０の運転設定情報が変更された場合はその情報が反映されない。本実施形態によれば、バッテリー１５が回復した場合に、その時点での室内機３０の運転設定情報をワイヤレスリモコン１０に送信するため、室内機３０の運転状態と、ワイヤレスリモコン１０の表示とに乖離が無く、ユーザに正しい情報を通知することができる。
【００５６】
また本実施形態によれば、バックアップ運転モードは、所定の時間にて運転または／及び停止するように制御を行う時間タイマーモードと、所定の時刻に運転または／及び停止するように制御を行う時刻タイマーモードとを備えることから、ユーザの使用状況に応じてバックアップ運転モードの運転内容を選択することができる。
【００５７】
また本実施形態によれば、バッテリー切れによりバックアップ運転モードに入る前に、既にワイヤレスリモコン１０によりタイマー設定がなされている場合を考慮し、バックアップ運転モードによる制御を行うか否かを選択できるとした。
本実施形態によれば、ワイヤレスリモコン１０によるタイマー設定と、バックアップ運転モードによる設定のいずれを優先するかをユーザが選択することができ、バックアップ運転モードの汎用性を高めることができる。
【００５８】
以上、本発明の実施形態について図面を参照して詳述してきたが、具体的な構成はこの実施形態に限られるものではなく、本発明の要旨を逸脱しない範囲の設計変更なども含まれる。
【００５９】
たとえば、上述した実施形態においては運転設定情報は運転ＯＮ／ＯＦＦ、入／切タイマー、冷房・暖房・送風等の運転モード、設定温度、風量、風向、スイング等の室内機３０の運転情報の設定情報であるとしたが、入／切タイマーのみの設定情報であるとしてもよい。この場合、通信制御マイコン２１の記憶する情報を少なくすることができる。
【００６０】
また、上述した実施形態においては室内機が１台の場合の制御であったが、室内機が２台以上備えられている場合は、バックアップ運転モードの運転設定情報は全て同じ設定及び各々異なる設定のいずれであってもよい。
【符号の説明】
【００６１】
１  空気調和装置
１０  ワイヤレスリモコン
１１  通信制御マイコン
１２  リモコン通知部
２０  無線通信アダプタ
２１  通信制御マイコン
３０  室内機
【図１】
2018189278.tif 000003
【図２】
2018189278.tif 000004
【図３】
2018189278.tif 000005
【図４】
2018189278.tif 000006
【図５】
2018189278.tif 000007
【図６】
2018189278.tif 000008
【図７】
2018189278.tif 000009